(57)【特許請求の範囲】
【請求項１】
背景画像と任意の対象物画像を含む矩形画像を、矩形以外の任意の形状の表示領域を有する表示部に表示させる画像表示装置において、
前記表示領域の形状に対応する曲線座標に基づいて、前記矩形画像の背景画像に第１の画像変形処理を行なう第1変形処理手段と、
前記第1変形処理手段によって変形処理された前記背景画像と、前記第1変形処理手段によって変形処理されていない前記対象物画像とを合成する画像合成処理手段と、
前記画像合成処理手段によって合成された画像を、前記表示領域に表示する表示手段と、
を備えることを特徴とする画像表示装置。
【請求項２】
前記画像合成処理手段は、
前記対象物画像に対して前記第1変形処理手段による変形処理とは異なる第２の変形処理を行なう第２変形処理手段をさらに備え、
前記第1変形処理手段によって変形処理された前記背景画像と、前記第２変形処理手段によって変形処理された前記対象物画像とを合成することを特徴とする請求項１記載の画像表示装置。
【請求項３】
前記第1変形処理手段は、前記表示領域の中央付近の領域に対して、前記表示領域の周縁部近傍の領域で、前記矩形画像の変形が大きくなるように、前記矩形画像を変形することを特徴とする請求項１又は２記載の画像表示装置。
【請求項４】
前記第1変形処理手段は、任意の絵画調パターンに基づいて絵画変換する絵画変換処理手段をさらに備えることを特徴とする請求項１乃至３のいずれかに記載の画像表示装置。
【請求項５】
前記第２変形処理手段は、任意の絵画調パターンに基づいて絵画変換する絵画変換処理手段をさらに備えることを特徴とする請求項２記載の画像表示装置。
【請求項６】
前記画像合成処理手段は、前記対象物画像が前記表示領域内に表示不可能な場合には、当該表示領域内に表示可能となるように、前記対象物画像を変形させ、当該変形された前記対象物画像の大きさが所定の基準値以下の場合には、前記対象物画像から抽出された特徴部分画像と、前記対象物画像とを置換して、前記第1変形処理手段によって前記変形処理された前記背景画像と前記特徴部分画像とを合成することを特徴とする請求項１乃至５のいずれかに記載の画像表示装置。
【請求項７】
背景画像と任意の対象物画像を含む矩形画像を、矩形以外の任意の形状の表示領域を有する表示部に表示させる画像表示装置において、
前記表示領域の形状に対応する曲線座標に基づいて、前記矩形画像の背景画像に第１の画像変形処理を行なう第1変形処理ステップと、
前記第1変形処理ステップによって変形処理された前記背景画像と、前記第1変形処理ステップによって変形処理されていない前記対象物画像とを合成する画像合成処理ステップと、
前記画像合成処理ステップによって合成された画像を、前記表示領域に表示する表示ステップと、
を含むことを特徴とする画像処理方法。
【請求項８】
コンピュータに画像表示装置を制御させて、所望の画像を表示させる画像処理プログラムであって、
表示領域の形状に対応する曲線座標に基づいて、背景画像と任意の対象物画像を含む矩形画像の前記背景画像に第１の画像変形処理を行なう第1変形処理手段、
前記第1変形処理手段によって変形処理された前記背景画像と、前記第1変形処理手段によって変形処理されていない前記対象物画像とを合成する画像合成処理手段、
前記画像合成処理手段によって合成された画像を、前記表示領域に表示する表示手段、
として機能させることを特徴とする画像処理プログラム。
【発明の詳細な説明】
【技術分野】
【０００１】
本発明は、画像表示装置及び画像処理方法、並びに、該画像表示装置を機能させるための画像処理プログラムに関する。
【背景技術】
【０００２】
近年、携帯電話機やデジタルカメラ、インターネット等の普及により、各種のデジタル画像の入手が容易になり、それらの表示方法や視聴方法が多様化している。例えば写真立て風の外観を有し、静止画像や動画像等のデジタル画像をスライドショー等の任意の表示方式で表示、再生する電子機器として、いわゆるデジタルフォトフレームやデジタルアートフレーム等の画像再生装置が知られている。
【０００３】
デジタルフォトフレームやデジタルアートフレーム等の画像再生装置は、概略、メモリカードや内部メモリに記憶されたデジタル画像を、液晶表示パネル等からなる表示部に表示、再生するように構成されている。このような画像再生装置については、例えば特許文献１、２に記載されている。
【０００４】
ここで、携帯電話機やデジタルカメラ等の撮像機器により撮影された静止画像や動画像等のデジタル画像、あるいは、インターネット等を介して入手されるデジタル画像は、所定の縦横比からなる矩形状の規格を有するデータである。また、画像再生装置に備えられる表示部も、矩形状の表示領域を有しているので、上述したデジタル画像は、縦横比を変更することなく略そのまま、画像再生装置の表示部に表示、再生される。
【先行技術文献】
【特許文献】
【０００５】
【特許文献１】特開２００９−２２６００７号公報
【特許文献２】特開２００３−１６９７３４号公報
【発明の概要】
【発明が解決しようとする課題】
【０００６】
上述したような画像再生装置においては、上述したようなデジタル画像を、矩形状の表示領域を有する表示部に、略そのまま表示、再生することを主な機能としていた。近年においては、このような機能に加え、携帯電話機やデジタルカメラ等により撮影されたデジタル画像（いわゆる写真画像）を絵画調に変換して、表示、再生する表示方式も開発されている。このように、画像再生装置には、単なるデジタル画像の表示、再生のみならず、表示画像を鑑賞するユーザを楽しませることができる効果的で趣向を凝らした表示方式が求められている。
【０００７】
一方、画像再生装置に限らず、種々の製品に用いられる表示デバイスの分野においては、近年、従来の矩形状とは異なる形状の表示領域を有する表示装置（いわゆる異形表示パネル）が開発されている。異形表示パネルの例としては、円形状や楕円形状、ハート形状、八角形状、半円形状等の種々の形状の表示領域を有するものが知られている。
【０００８】
ここで、これらの異形表示パネルは、上述した画像再生装置に適用可能なものであるが、異形表示パネル特有の表示領域の形状に対応したデジタル画像の表示方式であって、かつ、ユーザを楽しませることができる効果的で趣向を凝らした表示方式については未だ知られていない。
【０００９】
そこで、本発明は、上述した問題点に鑑み、異形表示パネル特有の表示領域の形状に対応し、かつ、ユーザを楽しませることができる効果的で趣向を凝らしたデジタル画像の表示方式を実現することができる画像表示装置及び画像処理方法、並びに、該画像表示装置を機能させるための画像処理プログラムを提供することを目的とする。
【課題を解決するための手段】
【００１０】
本発明に係る画像表示装置は、
背景画像と任意の対象物画像を含む矩形画像を、矩形以外の任意の形状の表示領域を有する表示部に表示させる画像表示装置において、
前記表示領域の形状に対応する曲線座標に基づいて、前記矩形画像の背景画像に第１の画像変形処理を行なう第1変形処理手段と、
前記第1変形処理手段によって変形処理された前記背景画像と、前記第1変形処理手段によって変形処理されていない前記対象物画像とを合成する画像合成処理手段と、
前記画像合成処理手段によって合成された画像を、前記表示領域に表示する表示手段と、
を備えることを特徴とする。
【００１２】
本発明に係る画像処理方法は、
背景画像と任意の対象物画像を含む矩形画像を、矩形以外の任意の形状の表示領域を有する表示部に表示させる画像表示装置において、
前記表示領域の形状に対応する曲線座標に基づいて、前記矩形画像の背景画像に第１の画像変形処理を行なう第1変形処理ステップと、
前記第1変形処理ステップによって変形処理された前記背景画像と、前記第1変形処理ステップによって変形処理されていない前記対象物画像とを合成する画像合成処理ステップと、
前記画像合成処理ステップによって合成された画像を、前記表示領域に表示する表示ステップと、
を含むことを特徴とする。
【００１４】
本発明に係る画像処理プログラムは、
コンピュータに画像表示装置を制御させて、所望の画像を表示させる画像処理プログラムであって、
表示領域の形状に対応する曲線座標に基づいて、背景画像と任意の対象物画像を含む矩形画像の前記背景画像に第１の画像変形処理を行なう第1変形処理手段、
前記第1変形処理手段によって変形処理された前記背景画像と、前記第1変形処理手段によって変形処理されていない前記対象物画像とを合成する画像合成処理手段、
前記画像合成処理手段によって合成された画像を、前記表示領域に表示する表示手段、
として機能させることを特徴とする。
【発明の効果】
【００１６】
本発明によれば、異形表示パネル特有の表示領域の形状に対応し、かつ、ユーザを楽しませることができる効果的で趣向を凝らしたデジタル画像の表示方式を実現することができる画像表示装置及び画像処理方法、並びに、該画像表示装置を機能させるための画像処理プログラムを提供することができる。
【図面の簡単な説明】
【００１７】
【図１】本発明に係る画像表示装置の第１の実施形態を示す概略外観図である。
【図２】第１の実施形態に係る画像表示装置のハードウェア構成を示す概略ブロック図である。
【図３】第１の実施形態に係る画像表示装置における画像処理方法（画像変換処理）の比較例となる、画像表示方法の一例を説明するための概念図である。
【図４】第１の実施形態に係る画像処理方法に適用される第１の画像変換処理を説明するための概念図である。
【図５】第１の実施形態に係る第１の画像変換処理を曲線座標の観点から説明するための概念図である。
【図６】第１の実施形態に係る画像処理方法に適用される第２の画像変換処理を説明するための概念図である。
【図７】第１の実施形態に係る第２の画像変換処理を曲線座標の観点から説明するための概念図である。
【図８】第１の実施形態に係る画像処理方法に適用される第３の画像変換処理を説明するための概念図である。
【図９】第１の実施形態に係る画像処理方法に適用される第４の画像変換処理を説明するための概念図である。
【図１０】第１の実施形態に係る第１〜第４の画像変換処理に適用される曲線座標を示す図である。
【図１１】第１の実施形態に係る画像変換処理を適用した場合の、静止画像の表示例を示す概略図（その１）である。
【図１２】第１の実施形態に係る画像変換処理を適用した場合の、静止画像の表示例を示す概略図（その２）である。
【図１３】第１の実施形態に係る画像変換処理を適用した場合の、動画像の表示例を示す概略図（その１）である。
【図１４】第１の実施形態に係る画像変換処理を適用した場合の、動画像の表示例を示す概略図（その２）である。
【図１５】第２の実施形態に係る画像処理方法を説明するための概念図である。
【図１６】第３の実施形態に係る画像処理方法に適用される対象物画像の抽出処理を説明するための概念図である。
【図１７】第３の実施形態に係る第１の画像処理方法を説明するための概念図である。
【図１８】第３の実施形態に係る第２の画像処理方法を説明するための概念図である。
【図１９】第３の実施形態に係る第３の画像処理方法を説明するための概念図である。
【図２０】第３の実施形態に係る第４の画像処理方法に適用される対象物の特徴部分の抽出処理を説明するための概念図である。
【図２１】第３の実施形態に係る第４の画像処理方法を説明するための概念図である。
【発明を実施するための形態】
【００１８】
以下、本発明に係る画像表示装置及び画像処理方法並びに画像処理プログラムについて、実施形態を示して詳しく説明する。
＜第１の実施形態＞
（画像表示装置）
まず、本発明に係る画像表示装置について説明する。なお、本実施形態においては、画像表示装置として、デジタルフォトフレームやデジタルアートフレーム等の画像再生装置を一例として示して説明する。
【００１９】
図１は、本発明に係る画像表示装置の一実施形態を示す概略外観図である。
まず、本実施形態に係る画像表示装置の外観について説明すると、画像表示装置１０は、例えば、図１（ａ）に示すように、本体１１と、表示部１２と、操作スイッチ１３と、メモリカードスロット１４と、クレードル１５と、を有している。
【００２０】
本体１１は、平板状の筐体からなり、一面側に設けられた表示部１２の形状に対応して、例えば楕円形の外形形状を有している。表示部１２は、例えば液晶表示パネル等の薄型の表示デバイスであって、本実施形態においては、楕円形状の表示領域を有している。操作スイッチ１３は、例えば表示部１２周辺の本体１１の一面側（いわゆる額縁部分）や、本体の側面等に設けられ、表示部１３に表示するデジタル画像や各種メニューの選択、電源のオン／オフ等の操作に用いられる。メモリカードスロット１４は、例えばデジタルカメラ等で撮影したデジタル画像が記録されたメモリカードの挿入口である。クレードル１５は、本体１１を写真立て風に支持するとともに、本体１１に対して所定の電源を供給するものである。
【００２１】
なお、図１（ａ）に示した画像表示装置１０は、実施形態の一例を示したものであって、本発明はこれに限定されるものではない。本発明に係る画像表示装置は、例えば図１（ｂ）に示すように、本体１１が矩形状の外形形状を有し、自立スタンド１６により写真立て風に支持されているものであってもよい。要するに、本発明に係る画像表示装置は、表示部１２が矩形形状とは異なる形状の表示領域を有する、いわゆる異形表示パネルからなることを特徴としている。また、図１（ａ）、（ｂ）においては、操作スイッチ１３として、押しボタン型のスイッチを設けた構成を示したが、表示部１２に表示されるアイコンを指等でタッチすることにより、所望の機能を実行させるタッチパネルを適用するものであってもよい。
【００２２】
次に、本実施形態に係る画像表示装置のハードウェア構成について、上述した外観と関連付けて説明する。
図２は、本実施形態に係る画像表示装置のハードウェア構成を示す概略ブロック図である。なお、図２においては、図示の都合上、機能ブロック間の信号やデータのやりとりを表す矢印を全て示したが、実際には、これらのうちいずれかが単独で、もしくは、複数が有効となって所定の処理が実行される。
【００２３】
図２に示すように、画像表示装置１０は、データ処理部２０と、ユーザインタフェース部（以下、ユーザＩ／Ｆ部と記す）３０と、を備えている。
データ処理部２０は、中央演算装置（Central Processing Unit；以下、ＣＰＵと記す）２１と、読み出し専用メモリ（Read Only Memory；以下、ＲＯＭと記す）２２と、ランダムアクセスメモリ（Random
Access Memory；以下、ＲＡＭと記す）２３と、メモリ２４と、表示制御部２５と、画像処理部２６と、を備えている。
【００２４】
ＲＯＭ２２には、例えば、後述する画像変換処理を含む、デジタル画像の表示、再生に関する各種処理、及び、表示制御部２５、画像処理部２６、表示部３１、操作部３２、通信部３３、ドライブ３４を含む各種機能を実行するための各種プログラム（ソフトウェア）が記憶されている。ＣＰＵ２１は、ＲＯＭ２２に記憶されているプログラムに従って処理を行うことで、表示制御部２５、画像処理部２６、表示部３１、操作部３２、通信部３３、ドライブ３４を含む各種機能が実現される。特に、本実施形態においては、画像処理部２６が、ＣＰＵ２１からの命令に基づいて、上述した異形表示パネルからなる表示部３１（図１の表示部１２に相当する）に矩形形状のデジタル画像を表示する際の所定の画像変換処理を実行する。
【００２５】
ＲＡＭ２３には、ＣＰＵ２１が各種の処理を実行する上で必要なデータ等が適宜記憶される。メモリ２４は、ダイナミックＲＡＭ（Dynamic Random Access Memory；以下、ＤＲＡＭと記す）やＲＯＭ等により構成される。ＤＲＡＭは、後述する画像変換処理に関連する画像データが一時的に記憶される表示バッファを構成するとともに、ＣＰＵ２１の作業領域を構成する。ＲＯＭには、例えば後述する画像変換処理や、デジタル画像の表示、再生に関する各種パラメータ等が記憶される。なお、メモリ２４には、メモリカード等のリムーバブル記憶媒体４０や通信回線等を介して取り込んだデジタル画像や、画像処理部２６により所定の画像処理が実行され、表示部３１に表示される画像データの保存及び読み出しを行うための表示メモリ領域も含まれている。
【００２６】
表示制御部２５は、メモリ２４の表示メモリ領域に格納された画像データを読み出し、当該画像データにより表現される画像（後述する変換画像に相当する）を、ユーザＩ／Ｆ部３０の表示部３１に表示させる制御を実行する。例えば、表示制御部２５は、上記メモリ２４に保存された画像データに基づいてＲＧＢ信号を生成し、当該ＲＧＢ信号を異形表示パネルからなる表示部３１に供給することにより、デジタル画像を表示部３１に表示させる。
【００２７】
画像処理部２６は、デジタルシグナルプロセッサ（Digital Signal Processor；以下、ＤＳＰと記す）等で構成され、メモリ２４に記憶された画像データに対して、ホワイトバランス補正処理やγ補正処理などの各種画像処理を実行する。加えて、本実施形態においては、画像処理部２６は、ＣＰＵ２１からの命令に基づいて、メモリ２４に記憶された矩形形状のデジタル画像に対して、後述する各種の画像変換処理を実行して、異形表示パネルからなる表示部３１に表示可能な画像データに変換する。
【００２８】
ユーザＩ／Ｆ部３０は、図１に示した画像表示装置１０の本体１１に設けられた、異形表示パネルからなる表示部３１と、ユーザの指示操作を受け付ける操作部３２（図１の操作スイッチ１３に相当する）と、外部機器との間での通信を制御する通信部３３と、デジタル画像等が記憶されたメモリカード等のリムーバブル記憶媒体４０に対してデータの読み書きを行うドライブ３４（図１のメモリカードスロット１４に相当する）と、を備えている。
【００２９】
なお、本実施形態においては、データ処理部２０へのデジタル画像の取込み方法として、ドライブ３４により制御されるメモリカード等のリムーバブル記憶媒体４０を介して取り込むものであってもよいし、通信部３３により、図示を省略した通信ケーブルや無線通信、赤外線通信等を介して、例えばマルチメディア機器や携帯電話機、デジタルカメラ、ハードディスク装置の外部機器、あるいは、インターネット上のサーバ等に保存されたデジタル画像を取り込むものであってもよい。
【００３０】
また、本実施形態においては、表示制御部２５により生成されたＲＧＢ信号は、異形表示パネルからなる表示部３１に出力させるだけでなく、ユーザＩ／Ｆ部３０の通信部３３により制御される通信回線等を介して、あるいは、ドライブ３４により制御されるリムーバブル記憶媒体４０を介して、図示を省略した外部機器に出力させることもできる。これにより、例えばテレビジョン受像機、パーソナルコンピュータ、プロジェクタ等の外部機器においても、所定の画像変換が行われたデジタル画像を表示することができる。
【００３１】
また、操作部３２は、図１に示したように、電源ボタン、ズームキー、及び、メニュー設定キー等の操作スイッチ１３であって、ユーザの各操作に基づいて所定の操作信号を発生してデータ処理部２０へ送出する。例えば、ユーザによりメニュー設定キーが操作され、例えば画像変換モードが指定されると、操作信号がデータ処理部１２に送られ、ＣＰＵ２１は、後述する各種の画像変換処理から指定された画像変換処理を実行するように画像処理部２６に命令を送出する。このように、ユーザが操作部３２を操作することにより、各種操作信号がデータ処理部２０に送出されて、ＣＰＵ２１は、当該操作信号に応じが処理を実行する。
【００３２】
（画像処理方法）
次に、本実施形態に係る画像表示装置における画像処理方法について説明する。
ここでは、図１に示したように、楕円形状の表示領域を有する異形表示パネルを備えた画像表示装置において、デジタル画像として一般的に入手される矩形形状の画像（以下、矩形画像と記す）を表示する場合について説明する。また、説明を簡明にするため、異形表示パネルの楕円形状の表示領域の短軸と長軸の比（例えば３：４や９：１６等）に、矩形画像の縦横比であるアスペクト比を揃えておき、表示領域の楕円形状に外接するようなサイズの矩形画像を予め準備しておくものとする。なお、アスペクト比が異形表示パネルの短軸と長軸の比に揃っていない場合には、矩形画像の縦横比を事前に変換しておく。
【００３３】
（比較例）
まず、比較のために、矩形画像を歪ませることなく、図１に示したような異形表示パネルの楕円形状の表示領域内に当該矩形画像を表示する場合について説明する。
図３は、本実施形態に係る画像表示装置における画像処理方法（画像変換処理）の比較例となる、画像表示方法の一例を説明するための概念図である。
【００３４】
この場合においては、図３に示すように、異形表示パネル（表示部１２）の楕円形状の表示領域１０１に外接する矩形画像１０２を、当該表示領域１０１の楕円形状に内接するように、相似縮小変換（図中、矢印参照）をすることにより、楕円形状の表示領域１０１内に相似縮小化された矩形画像（以下、相似縮小変換画像と記す）１０２ｐが表示される。
【００３５】
ここで、図３に示した例では、矩形画像１０２を単に相似縮小変換しただけであるので、表示領域１０１内に表示された相似縮小変換画像１０２ｐには歪みは生じない。しかしながら、表示された相似縮小変換画像１０２ｐの外側の領域であって、かつ、楕円形状の表示領域１０１の内側の領域（図中、ハッチングにて表記）１０１ｐは、相似縮小変換画像１０２ｐの表示には利用されない、別用途又は未使用の表示領域となる。すなわち、この場合には、矩形画像１０２であるデジタル画像が、楕円形状を有する表示領域１０１内に、単に縮小表示又は縮小再生されているにすぎず、異形表示パネル特有の表示領域の形状を利用して、表示画像を鑑賞するユーザを十分楽しませることができる効果的で趣向を凝らした表示方式を提供することができない。
【００３６】
（第１の画像変換処理）
次いで、矩形画像を縦方向に直線的に歪ませて、楕円形状の表示領域全域に当該矩形画像を表示する第１の画像変換処理について説明する。
図４は、本実施形態に係る画像処理方法に適用される第１の画像変換処理を説明するための概念図である。
【００３７】
第１の画像変換処理においては、図４に示すように、横方向（ｘ方向）の座標に依存した異なる縮小率で縦方向（ｙ方向）に矩形画像１０２を直線的に縮小変換（図中、矢印参照；以下、ｙ方向縮小変換と記す）することにより、楕円形状の表示領域１０１全域に、矩形画像１０２が異方性縮小された楕円形状の画像（以下、変換画像と記す）１０２ｙとして表示される。
【００３８】
具体的には、図４（ａ）に示すように、表示領域１０１の外形に対応する楕円に対して（ｘ，ｙ）直線座標を規定し、当該楕円の短軸長をＷ、楕円の長軸長をＬと設定する。図４（ａ）における横方向（ｘ方向）の任意の位置ｘ０におけるｘ＝ｘ０の直線ＬＮ（ｘ０）と、表示領域１０１の外形に対応する楕円との交点Ｐａ（ｘ０）とＰｂ（ｘ０）間の距離をＷ１（ｘ０）と設定すると、矩形画像１０２におけるｘ＝ｘ０の直線ＬＮ（ｘ０）上の長さＷの画像データが、ｙ方向縮小変換により長さＷ１（ｘ０）の画像データに縮小変換される。このときの縮小率Ｓｘは、Ｓｘ（ｘ）＝Ｗ１（ｘ）／Ｗで表すことができ、図４（ｂ）に示すように、縮小率Ｓｘは、ｘ＝０で最大値：１であり、ｘ＝±Ｌ／２で最小値：０となる。ここで、縮小率Ｓｘ（ｘ）は、楕円の形状から一意的に定まるものである。
【００３９】
このような第１の画像変換処理（ｙ方向縮小変換処理）について、適切な（ｕ、ｖ）曲線座標の観点から再考すると、次のように説明することができる。
図５は、本実施形態に係る第１の画像変換処理を曲線座標の観点から説明するための概念図である。
図４に示した第１の画像変換処理は、換言すると、図５に示すように、矩形画像の横方向の画像データを曲線的に歪ませて、楕円形状の表示領域全域に当該矩形画像を表示する画像処理方法に相当する。
【００４０】
すなわち、上述した画像変換処理においては、図５に示すように、縦方向（ｙ方向）の座標に依存した異なる拡大率Ｍｙで、表示領域１０１の外形に対応する楕円に沿って、矩形画像１０２の横方向（ｘ方向）の画像データを異方的に拡大変換することにより、楕円形状の表示領域１０１に矩形画像１０２が表示される。
【００４１】
具体的には、図５（ａ）に示すように、表示領域１０１の外形に対応する楕円の左右端（±Ｌ／２，０）を極とする適切な（ｕ、ｖ）曲線座標１を設定し、当該楕円の短軸長をＷ、楕円の長軸長をＬと設定する。図５（ａ）における縦方向（ｙ方向）の任意の位置ｙ０におけるｙ＝ｙ０の直線ＬＮ（ｙ０）上の長さＬの画像データが、ｙ＝ｙ０に接する曲線座標：ｕ＝ｕ０に沿った長さＬ１（ｙ０）の曲線ＣＬ１（ｙ０）からなる画像データに変換される。このときの拡大率Ｍｙは、Ｍｙ（ｙ）＝Ｌ１（ｙ）／Ｌで表すことができ、図５（ｂ）に示すように、拡大率Ｍｙは、ｙ＝０で最小値：１であり、ｙ＝±Ｗ／２で最大値：Ｑ／Ｌ（＞１）となる。ここで、Ｑは楕円の周囲長の１／２である。
【００４２】
このように、図４及び図５に示した画像処理方法においては、矩形画像１０２は縦方向（ｙ方向）に直線的に歪むことになるが、楕円形状の表示領域１０１全域に画像変換された矩形画像１０２が表示される。ここで、図４及び図５において、横方向の画像端（ｘ＝±Ｌ／２）では上記縮小率Ｓｘが最小となり、かつ、縦方向の画像端（ｙ＝±Ｗ／２）では上記拡大率Ｍｙが最大となるので、横方向（ｘ方向）の画像端に近いほど、また、縦方向（ｙ方向）の画像端に近いほど、縦方向の潰れ方が大きくなるように画像が表示される。特に、本画像変換処理の場合には、縦方向の直線は直線のまま縮小されるが、横方向の直線は楕円に沿った曲線に拡大される。すなわち、本画像変換処理においては、縦方向（ｙ方向）の直線以外は曲線に変換され、特に横方向（ｘ方向）の直線は表示領域１０１の外形に対応する楕円に沿って、楕円と同じ曲がり方を有する曲線に変換される。したがって、第１の画像変換処理によれば、矩形画像１０２であるデジタル画像が、横方向及び縦方向の画像端に近くなるほど特定方向に大きく変形した楕円形状の変換画像１０２ｙに変換される。
【００４３】
（第２の画像変換処理）
次いで、矩形画像を横方向に直線的に歪ませて、楕円形状の表示領域全域に当該矩形画像を表示する第２の画像変換処理について説明する。
図６は、本実施形態に係る画像処理方法に適用される第２の画像変換処理を説明するための概念図である。
【００４４】
第２の画像変換処理においては、図６に示すように、縦方向（ｙ方向）の座標に依存した異なる縮小率で横方向（ｘ方向）に矩形画像１０２を直線的に縮小変換（図中、矢印参照；以下、ｘ方向縮小変換と記す）することにより、楕円形状の表示領域１０１全域に、矩形画像１０２が異方性縮小された楕円形状の画像（変換画像）１０２ｘとして表示される。
【００４５】
具体的には、上述した第１の画像変換処理と同様に、図６（ａ）に示すように、表示領域１０１の外形に対応する楕円に対して（ｘ，ｙ）直線座標を規定し、当該楕円の短軸長をＷ、楕円の長軸長をＬと設定する。
図６（ａ）における縦方向（ｙ方向）の任意の位置ｙ０におけるｙ＝ｙ０の直線ＬＮ（ｙ０）と、表示領域１０１の外形に対応する楕円との交点Ｐａ（ｙ０）とＰｂ（ｙ０）間の距離をＬ１（ｙ０）と設定すると、矩形画像１０２におけるｙ＝ｙ０の直線ＬＮ（ｙ０）上の長さＬの画像データが、ｘ方向縮小変換により長さＬ２（ｙ０）の画像データに縮小変換される。このときの縮小率Ｓｙは、Ｓｙ（ｙ）＝Ｌ２（ｙ）／Ｌで表すことができ、図６（ｂ）に示すように、縮小率Ｓｙは、ｙ＝０で最大値：１であり、ｙ＝±Ｗ／２で最小値：０となる。ここで、縮小率Ｓｙ（ｙ）は、楕円の形状から一意的に定まるものである。
【００４６】
このような第２の画像変換処理（ｘ方向縮小変換処理）について、適切な（ｕ、ｖ）曲線座標の観点から再考すると、次のように説明することができる。
図７は、本実施形態に係る第２の画像変換処理を曲線座標の観点から説明するための概念図である。
図６に示した第２の画像変換処理は、換言すると、図７に示すように、矩形画像の縦方向の画像データを曲線的に歪ませて、楕円形状の表示領域全域に当該矩形画像を表示する画像処理方法に相当する。
【００４７】
すなわち、上述した画像変換処理においては、図７に示すように、横方向（ｘ方向）の座標に依存した異なる拡大率Ｍｘで、表示領域１０１の外形に対応する楕円に沿って、矩形画像１０２の縦方向（ｙ方向）の画像データを異方的に拡大変換することにより、楕円形状の表示領域１０１に矩形画像１０２が表示される。
【００４８】
具体的には、図７（ａ）に示すように、表示領域１０１の外形に対応する楕円の上下端（０，±Ｗ／２）を極とする適切な（ｕ、ｖ）曲線座標２を設定し、当該楕円の短軸長をＷ、楕円の長軸長をＬと設定する。図７（ａ）における横方向（ｘ方向）の任意の位置ｘ０におけるｘ＝ｘ０の直線ＬＮ（ｘ０）上の長さＷの画像データが、ｘ＝ｘ０に接する曲線座標：ｖ＝ｖ０に沿った長さＷ２（ｘ０）の曲線ＣＷ２（ｘ０）からなる画像データに変換される。このときの拡大率Ｍｘは、Ｍｘ（ｘ）＝Ｗ２（ｘ）／Ｗで表すことができ、図７（ｂ）に示すように、拡大率Ｍｘは、ｘ＝０で最小値：１であり、ｘ＝±Ｌ／２で最大値：Ｑ／Ｗ（＞１）となる。ここで、Ｑは楕円の周囲長の１／２である。
【００４９】
このように、図６及び図７に示した画像処理方法においては、矩形画像１０２は横方向（ｘ方向）に直線的に歪むことになるが、楕円形状の表示領域１０１全域に画像変換された矩形画像１０２が表示される。ここで、図６及び図７において、縦方向の画像端（ｙ＝±Ｗ／２）では上記縮小率Ｓｘが最小となり、かつ、横方向の画像端（ｘ＝±Ｌ／２）では上記拡大率Ｍｘが最大となるので、縦方向（ｙ方向）の画像端に近いほど、また、横方向（ｘ方向）の画像端に近いほど、横方向の潰れ方が大きくなるように画像が表示される。特に、本画像変換処理の場合には、横方向の直線は直線のまま縮小されるが、縦方向の直線は楕円に沿った曲線に拡大される。すなわち、本画像変換処理においては、横方向（ｘ方向）の直線以外は曲線に変換され、特に縦方向（ｙ方向）の直線は表示領域１０１の外形に対応する楕円に沿って、楕円と同じ曲がり方を有する曲線に変換される。したがって、第２の画像変換処理によれば、矩形画像１０２であるデジタル画像が、横方向及び縦方向の画像端に近くなるほど特定方向に大きく変形した楕円形状の変換画像１０２ｘに変換される。
【００５０】
（第３の画像変換処理）
次いで、矩形画像を縦方向及び横方向に曲線的に歪ませて、楕円形状の表示領域全域に当該矩形画像を表示する第３の画像変換処理について説明する。
図８は、本実施形態に係る画像処理方法に適用される第３の画像変換処理を説明するための概念図である。
【００５１】
第３の画像変換処理においては、図８に示すように、横方向（ｘ方向）の座標に依存した異なる拡大率で、表示領域１０１の外形に対応する楕円に沿って矩形画像１０２を異方的に拡大変換することにより、楕円形状の表示領域１０１全域に、矩形画像１０２が異方性拡大された楕円形状の画像（変換画像）１０２ｚとして表示される。
【００５２】
具体的には、図８（ａ）のように、表示領域１０１の外形に対応する楕円の左右端（±Ｌ／２，０）を極とする適切な（ｕ、ｖ）曲線座標１を設定し、当該楕円の短軸長をＷ、楕円の長軸長をＬと設定する。図８（ａ）における横方向（ｘ方向）の任意の位置ｘ０におけるｘ＝ｘ０の直線ＬＮ（ｘ０）上の長さＷの画像データが、ｘ＝ｘ０に接する曲線座標：ｖ＝ｖ０に沿った長さＷ３（ｘ０）の曲線ＣＷ３（ｘ０）からなる画像データに変換される。このときの縮小率Ｔｘは、Ｔｘ（ｘ）＝Ｗ３（ｘ）／Ｗで表すことができ、図８（ｂ）に示すように、縮小率Ｔｘは、ｘ＝０で最大値：１であり、ｘ＝±Ｌ／２で最小値：０となる。ここで、縮小率Ｔｘ（ｘ）は、楕円の形状から一意的に定まるものである。
【００５３】
このように、図８に示した画像処理方法においては、矩形画像１０２は表示領域１０１の外形に対応する楕円に沿って歪むことになるが、楕円形状の表示領域１０１全域に画像変換された矩形画像１０２が表示される。ここで、図８において、横方向の画像端（ｘ＝±Ｌ／２）では上記縮小率Ｔｘが最小（“０”）となるため、横方向の画像端に近いほど、縦方向の潰れ方が大きくなるように画像が表示される。特に、本画像変換処理の場合には、縦方向の直線は楕円に沿った曲線に縮小され、一方、横方向の直線は楕円に沿った曲線に拡大される。すなわち、本画像変換処理においては、縦方向又は横方向の任意の直線が曲線に変換され、特に縦方向（ｙ方向）の直線は表示領域１０１の外形に対応する楕円に沿って、楕円と異なる曲がり方を有する曲線に変換される。したがって、第３の画像変換処理によれば、矩形画像１０２であるデジタル画像が、横方向及び縦方向の画像端に近くなるほど特定方向に大きく変形した楕円形状の変換画像１０２ｚに変換される。
【００５４】
（第４の画像変換処理）
次いで、矩形画像を縦方向及び横方向に曲線的に歪ませて、楕円形状の表示領域全域に当該矩形画像を表示する第４の画像変換処理について説明する。
図９は、本実施形態に係る画像処理方法に適用される第４の画像変換処理を説明するための概念図である。
【００５５】
第４の画像変換処理においては、図９に示すように、縦方向（ｙ方向）の座標に依存した異なる縮小率で、表示領域１０１の外形に対応する楕円に沿って矩形画像１０２を異方的に縮小変換することにより、楕円形状の表示領域１０１全域に、矩形画像１０２が異方性縮小された楕円形状の画像（変換画像）１０２ｚとして表示される。
【００５６】
具体的には、図９（ａ）のように、表示領域１０１の外形に対応する楕円の上下端（±Ｌ／２，０）を極とする適切な（ｕ、ｖ）曲線座標２を設定し、当該楕円の短軸長をＷ、楕円の長軸長をＬと設定する。図９（ａ）における縦方向（ｙ方向）の任意の位置ｙ０におけるｙ＝ｙ０の直線ＬＮ（ｙ０）上の長さＬの画像データが、ｙ＝ｙ０に接する曲線座標：ｕ＝ｕ０に沿った長さＬ４（ｙ０）の曲線ＣＬ４（ｙ０）からなる画像データに変換される。このときの縮小率Ｔｙは、Ｔｙ（ｙ）＝Ｌ４（ｙ）／Ｌで表すことができ、図９（ｂ）に示すように、縮小率Ｔｙは、ｙ＝０で最大値：１であり、ｙ＝±Ｗ／２で最小値：０となる。
【００５７】
このように、図９に示した画像処理方法においては、矩形画像１０２は表示領域１０１の外形に対応する楕円に沿って歪むことになるが、楕円形状の表示領域１０１全域に画像変換された矩形画像１０２が表示される。ここで、図９において、縦方向の画像端（ｙ＝±Ｗ／２）では上記縮小率Ｔｙが最小（“０”）となるため、縦方向の画像端に近いほど、横方向の潰れ方が大きくなるように画像が表示される。特に、本画像変換処理の場合には、縦方向の直線は楕円に沿った曲線に拡大小され、一方、横方向の直線は楕円に沿った曲線に縮小される。すなわち、本画像変換処理においては、縦方向又は横方向の任意の直線が曲線に変換され、特に縦方向（ｙ方向）の直線は表示領域１０１の外形に対応する楕円に沿って、楕円と同じ曲がり方を有する曲線に変換される。したがって、第４の画像変換処理によれば、矩形画像１０２であるデジタル画像が、横方向及び縦方向の画像端に近くなるほど特定方向に大きく変形した楕円形状の変換画像１０２ｚに変換される。
【００５８】
上述したように、第１〜第４の各画像変換処理においては、表示領域１０１が例えば楕円形状の異形表示パネルを備える画像表示装置において、例えば図１０（ａ）に示すように、表示領域１０１の外形に対応する楕円の左右端（±Ｌ／２，０）を極とする（ｕ、ｖ）曲線座標１、又は、例えば図１０（ｂ）に示すように、表示領域１０１の外形に対応する楕円の上下端（０，±Ｗ／２）を極とする（ｕ、ｖ）曲線座標２ｎに基づいて、矩形画像１０２を歪ませることにより、楕円形状の表示領域１０１の全域に、矩形画像１０２全体が表示、再生される。したがって、本実施形態によれば、異形表示パネル特有の表示領域１０１の形状を利用して、ユーザを楽しませることができる効果的で趣向を凝らした表示方式を提供することができる。なお、図１０は、本実施形態に係る第１〜第４の画像変換処理に適用される曲線座標を示す図である。
【００５９】
（静止画像の表示例）
次に、上述した各画像変換処理を適用した場合の静止画像の表示例について具体的に説明する。
図１１、図１２は、本実施形態に係る画像変換処理を適用した場合の、静止画像の表示例を示す概略図である。ここで、説明を簡明化するために、画像変換処理の対象となる矩形画像として簡単な人物の集合写真（静止画像）を用いて、各画像変換処理の表示効果について説明する。また、図中に人物画像ＰＳとともに、横方向（ｘ方向）及び縦方向（ｙ方向）の画像変換の特性を表す棒状のスケールＳＣｘ、ＳＣｙを表示することで、変換画像を概念的に示す。また、図１１、図１２において、矩形画像１０２の外形に対応する矩形に内接する楕円が、異形表示パネルの表示領域１０１の外形に対応するものとする。
【００６０】
上述した第１の画像変換処理を適用した場合の画像表示の例は、例えば図１１（ａ）に示すような人物の集合写真からなる矩形画像１０２に対して、図１１（ｂ）に示すように、当該矩形画像１０２の中心から左右方向に行くほど（異形表示パネルの外形に対応する楕円の左右端に近いほど）、人物画像ＰＳがスケールＳＣｙのように、縦方向に直線状に縮小変形される。加えて、当該矩形画像１０２の中心から上下方向に行くほど（上記楕円の上下端に近いほど）、スケールＳＣｘのように、異形表示パネルの外形に沿った曲線状に拡大変形される。これにより、第１の画像変換処理により生成された変換画像１０２ｙは、画像表示装置１０の異形表示パネルからなる表示部１２（図２では表示部３１）の楕円形状を有する表示領域１０１全域に表示される。
【００６１】
また、上述した第２の画像変換処理を適用した場合の画像表示の例は、例えば図１１（ａ）に示した矩形画像１０２に対して、図１１（ｃ）に示すように、当該矩形画像１０２の中心から左右方向に行くほど（異形表示パネルの外形に対応する楕円の左右端に近いほど）、人物画像ＰＳがスケールＳＣｙのように、異形表示パネルの外形に沿った曲線状に拡大変形される。加えて、当該矩形画像１０２の中心から上下方向に行くほど（上記楕円の上下端に近いほど）、スケールＳＣｘのように、横方向に直線状に縮小変形される。これにより、第２の画像変換処理により生成された変換画像１０２ｘは、画像表示装置１０の表示部１２の楕円形状を有する表示領域１０１全域に表示される。
【００６２】
また、上述した第３の画像変換処理を適用した場合の画像表示の例は、例えば図１１（ａ）に示した矩形画像１０２に対して、図１２（ａ）に示すように、当該矩形画像１０２の中心から左右方向に行くほど（異形表示パネルの外形に対応する楕円の左右端に近いほど）、人物画像ＰＳがスケールＳＣｙのように、異形表示パネルの外形に対応する楕円とは逆方向に反り返った曲線状に縮小変形される。加えて、当該矩形画像１０２の中心から上下方向に行くほど（上記楕円の上下端に近いほど）、スケールＳＣｘのように、異形表示パネルの外形に対応する楕円に沿った曲線状に拡大変形される（図１０（ａ）に示した曲線座標参照）。これにより、第３の画像変換処理により生成された変換画像１０２ｚは、画像表示装置１０の表示部１２の楕円形状を有する表示領域１０１全域に表示される。
【００６３】
さらに、上述した第４の画像変換処理を適用した場合の画像表示の例は、例えば図１１（ａ）に示した矩形画像１０２に対して、図１２（ｂ）に示すように、当該矩形画像１０２の中心から左右方向に行くほど（異形表示パネルの外形に対応する楕円の左右端に近いほど）、人物画像ＰＳがスケールＳＣｙのように、異形表示パネルの外形に対応する楕円に沿った曲線状に拡大変形される。加えて、当該矩形画像１０２の中心から上下方向に行くほど（上記楕円の上下端に近いほど）、スケールＳＣｘのように、異形表示パネルの外形に対応する楕円とは逆方向に反り返った曲線状に縮小変形される（図１０（ｂ）に示した曲線座標参照）。これにより、第４の画像変換処理により生成された変換画像１０２ｚは、画像表示装置１０の表示部１２の楕円形状を有する表示領域１０１全域に表示される。
【００６４】
このように、本実施形態に係る各画像変換処理を適用した画像表示方法によれば、矩形画像１０２からなる静止画像が、横方向及び縦方向の画像端に近くなるほど特定方向に直線的又は曲線的に顕著に変形した画像（変換画像１０２ｘ〜１０２ｚ）に変換されて、異形表示パネルの表示領域１０１全域に、表示、再生されるので、異形表示パネル特有の表示領域１０１の形状を利用して、印象の異なる画像を表示することができ、ユーザを楽しませることができる効果的で趣向を凝らした画像表示を実現することができる。なお、上述した各画像変換処理により生成された各変換画像１０２ｘ〜１０２ｚは、画像表示装置１０の表示部１２に、いずれかの画像変換処理により生成された変換画像が単独で、あるいは、スライドショー形式で表示、再生されるものであってもよいし、異なる画像変換処理により生成された複数の変換画像が、スライドショー形式で順次表示、再生されるものであってもよい。
【００６５】
（動画像の表示例）
次に、上述した各画像変換処理を適用した場合の動画像の表示例について具体的に説明する。
上述した本実施形態においては、画像変換処理の対象となる矩形画像（矩形形状を有するデジタル画像）として、静止画像を用いた場合について説明したが、矩形画像として動画像を用いた場合であっても、本実施形態の構成及び画像処理方法を良好に適用することができる。
【００６６】
図１３、図１４は、本実施形態に係る画像変換処理を適用した場合の、動画像の表示例を示す概略図である。ここで、説明を簡明化するために、図１１、図１２と同様に、画像変換処理の対象となる矩形画像として人物が横方向（図中矢印Ｍ１、Ｍ２の方向）に移動する簡単な動画像を用いて、各画像変換処理の表示効果について説明する。なお、図１３、図１４においては、図示の都合上、図１１、図１２に示したような画像変換の特性を表すスケールＳＣｘ、ＳＣｙを表示しないが、図１３（ａ）〜（ｃ）、図１４（ａ）、（ｂ）の各図は、図１１（ａ）〜（ｃ）、図１２（ａ）、（ｂ）の各図と同様の概念の変換画像を示すものである。
【００６７】
上述した第１の画像変換処理を適用した場合の画像表示の例は、例えば図１３（ａ）に示すように、人物が図中矢印Ｍ１、Ｍ２の順序で、左端から中央を経て右端に移動して行く動画像を構成する一連の矩形画像１０２に対して、図１３（ｂ）に示すように、当該矩形画像１０２の左端（異形表示パネルの外形に対応する楕円の左端）近傍の人物画像ＰＳは、縦方向に直線状に縮小変形される。そして、矢印Ｍ１のように人物が移動して、矩形画像１０２の中央に近づくにしたがって、縮小率が１に近づくように、人物画像ＰＳが直線状に縮小変形され、当該中央付近では人物画像ＰＳは元画像と一致又は同等になるように画像変換（縮小率：１）される。さらに、矢印Ｍ２のように人物が移動して、矩形画像１０２の右端（異形表示パネルの外形に対応する楕円の右端）に近づくにしたがって、縮小率が０に近づくように、人物画像ＰＳが再び縦方向に直線状に縮小変形される。これにより、第１の画像変換処理により生成された一連の変換画像１０２ｙは、画像表示装置１０の異形表示パネルからなる表示部１２の楕円形状を有する表示領域１０１全域に動画像として表示される。
【００６８】
また、上述した第２の画像変換処理を適用した場合の画像表示の例は、例えば図１３（ａ）に示した一連の矩形画像１０２に対して、図１３（ｃ）に示すように、当該矩形画像１０２の左端（異形表示パネルの外形に対応する楕円の左端）近傍の人物画像ＰＳは、異形表示パネルの外形に対応する楕円に沿った曲線状に拡大変形される。そして、矢印Ｍ１のように人物が移動して、矩形画像１０２の中央に近づくにしたがって、拡大率が１に近づくように、人物画像ＰＳが拡大変形され、当該中央付近では人物画像ＰＳは元画像と一致又は同等になるように画像変換（拡大率：１）される。さらに、矢印Ｍ２のように人物が移動して、矩形画像１０２の右端（異形表示パネルの外形に対応する楕円の右端）に近づくにしたがって、拡大率が大きくなるように、人物画像ＰＳが再び異形表示パネルの外形に対応する楕円に沿った曲線状に拡大変形される。これにより、第２の画像変換処理により生成された一連の変換画像１０２ｘは、画像表示装置１０の表示部１２の楕円形状を有する表示領域１０１全域に動画像として表示される。
【００６９】
また、上述した第３の画像変換処理を適用した場合の画像表示の例は、例えば図１３（ａ）に示した一連の矩形画像１０２に対して、図１４（ａ）に示すように、当該矩形画像１０２の左端（異形表示パネルの外形に対応する楕円の左端）近傍の人物画像ＰＳは、異形表示パネルの外形に対応する楕円とは逆方向に反り返った曲線状に縮小変形される。そして、矢印Ｍ１のように人物が移動して、矩形画像１０２の中央に近づくにしたがって、縮小率が１に近づくように、人物画像ＰＳが縮小変形され、当該中央付近では人物画像ＰＳは元画像と一致又は同等になるように画像変換（縮小率：１）される。さらに、矢印Ｍ２のように人物が移動して、矩形画像１０２の右端（異形表示パネルの外形に対応する楕円の右端）に近づくにしたがって、縮小率が小さくなるように、人物画像ＰＳが再び異形表示パネルの外形に対応する楕円とは逆方向に反り返った曲線状に縮小変形される。これにより、第３の画像変換処理により生成された一連の変換画像１０２ｚは、画像表示装置１０の表示部１２の楕円形状を有する表示領域１０１全域に動画像として表示される。
【００７０】
さらに、上述した第４の画像変換処理を適用した場合の画像表示の例は、例えば図１３（ａ）に示した一連の矩形画像１０２に対して、図１４（ｂ）に示すように、当該矩形画像１０２の左端（異形表示パネルの外形に対応する楕円の左端）近傍の人物画像ＰＳは、異形表示パネルの外形に対応する楕円に沿った曲線状に拡大変形される。そして、矢印Ｍ１のように人物が移動して、矩形画像１０２の中央に近づくにしたがって、拡大率が１に近づくように、人物画像ＰＳが拡大変形され、当該中央付近では人物画像ＰＳは元画像と一致又は同等になるように画像変換（拡大率：１）される。さらに、矢印Ｍ２のように人物が移動して、矩形画像１０２の右端（異形表示パネルの外形に対応する楕円の右端）に近づくにしたがって、拡大率が大きくなるように、人物画像ＰＳが再び異形表示パネルの外形に対応する楕円に沿った曲線状に拡大変形される。これにより、第４の画像変換処理により生成された一連の変換画像１０２ｚは、画像表示装置１０の表示部１２の楕円形状を有する表示領域１０１全域に動画像として表示される。
【００７１】
このように、本実施形態に係る各画像変換処理を適用した画像表示方法によれば、一連の矩形画像１０２からなる動画像が、横方向の画像端に近くなるほど特定方向に直線的又は曲線的に顕著に変形した画像（一連の変換画像１０２ｘ〜１０２ｚ）に変換されて、異形表示パネルの表示領域１０１全域に、表示、再生されるので、異形表示パネル特有の表示領域１０１の形状を利用して、印象の異なる動画像を表示することができ、ユーザを楽しませることができる効果的で趣向を凝らした画像表示を実現することができる。
【００７２】
なお、本実施形態においては、図１０（ａ）、（ｂ）に示した曲線座標を、楕円形状を有する表示領域１０１に対応付けて設定した場合について説明したが、本発明に適用可能な曲線座標はこれらに限定されるものではない。すなわち、本発明は、異形表示パネルの表示領域の形状に対応するものであれば、他の曲線座標を設定するものであってもよい。
【００７３】
＜第２の実施形態＞
次に、本発明に係る画像表示装置における画像処理方法の第２の実施形態について説明する。ここでは、上述した第１の実施形態に示した画像表示装置の構成及び画像処理方法を適宜参照しながら第２の実施形態について説明する。
【００７４】
上述した第１の実施形態においては、所定の画像変換処理により矩形画像を異形表示パネルの表示領域の外形に対応する画像に変換して、当該変換画像を表示領域の全域に表示する手法について説明した。第２の実施形態においては、第１の実施形態に示した画像変換処理に加え、変換画像に絵画変換処理（又はアート変換処理）を施して異形表示パネルの表示領域に表示することを特徴とする。
【００７５】
本実施形態に係る画像表示装置においては、図２に示したデータ処理部２０において、上述した第１の実施形態に示した各画像変換処理に加え、又は、当該画像変換処理に先立って、絵画変換処理が実行される。具体的には、ＣＰＵ２１が例えばＲＯＭ２２に記憶されている絵画変換処理を実行するためのプログラムを読み出して実行することにより、画像処理部２６においてメモリ２４に保存されている画像データに対して、所定の絵画変換処理が実行される。ここで、絵画変換処理は、既存の画像処理関連のソフトウェア（例えば、Adobe Systems社のAdobe Photoshop（登録商標））等に用いられている手法と同等の処理を適用することによって実現される。
【００７６】
具体的には、画像処理部２６は、例えばメモリ２４のＲＯＭに記憶された絵画変換処理内容とそのパラメータにしたがって、メモリ２４のＤＲＡＭに保存された原画像（上述した矩形画像又は変換画像に相当する）の画像データを特定の絵画調画像の画像データに変換する。ここで、画像処理部２６で実行される絵画変換処理の処理内容は、例えばユーザが画像表示装置１０の本体１１に設けられた操作スイッチ１３を操作して、メニュー画面から任意の絵画調パターンを選択するものであってもよいし（マニュアルモード）、絵画変換プログラムに予め組み込まれた手順にしたがって、所定の絵画調パターンに自動的に設定されるものであってもよい（オートモード）。また、画像処理部２６により実行される絵画変換処理は、原画像の画像データ全体を変換するものであってもよいし、後述するように、特定の領域のみを変換するものであってもよい。
【００７７】
なお、絵画変換処理における絵画調パターンとは、一般に、画像から感じることができる印象に基づいて規定されるものであって、例えば油彩、色鉛筆、野獣派油彩、水彩、パステル、淡彩点描、エアブラシ、ゴシック油彩等、様々な分類が設定されている。また、絵画変換処理におけるパラメータとしては、例えばコントラスト、明るさ、色の濃さ、色合い、シャープネス、必要に応じて、ノイズ低減フィルタの効果設定、色温度、γ補正のγ値等であり、これらパラメータのいずれか、あるいは、任意のパラメータの組み合わせを指定することにより、所望の絵画調パターンを実現することができる。本実施形態においては、各種の絵画調パターンに対応して、上記のパラメータの最適な組み合わせが予め設定され、例えばメモリ２４のＲＯＭに、絵画変換処理内容に対応付けて記憶されている。
【００７８】
（画像処理方法）
次に、本実施形態に係る画像表示装置における画像処理方法について説明する。
本実施形態においては、上述した第１の実施形態に示したように、画像表示装置１０の表示部１２が、例えば楕円形状の表示領域１０１を有する異形表示パネルからなり、当該表示領域１０１の形状に対応した適切な（ｕ、ｖ）曲線座標の観点に基づいて、画像データの絵画変換処理を実行することを特徴とする。
【００７９】
図１５は、本実施形態に係る画像処理方法を説明するための概念図である。
本実施形態に係る画像処理方法においては、まず、データ処理部２０の画像処理部２６において、上述した第１の実施形態に示した画像変換処理を実行することにより、矩形画像１０２が異形表示パネルの表示領域１０１の形状に対応した変換画像１０２ｘ又は１０２ｙ又は１０２ｚ（以下、便宜的に１０２ｘｙｚと記す）に変換される。この変換画像１０２ｘｙｚの画像データは、一旦メモリ２４の所定の領域に保存される。
【００８０】
次いで、画像処理部２６において、メモリ２４から読み出した変換画像１０２ｘｙｚに対して、所定の絵画調パターンからなる絵画変換処理を実行して絵画調画像を生成する。ここで、第１の実施形態に示した画像変換処理を実行することにより、異形表示パネルの表示領域１０１の外形（楕円形状）に対応して、楕円の外形近傍の領域の画像は、特定方向に直線的又は曲線的に顕著に拡大又は縮小変形されている。
【００８１】
そこで、本実施形態に係る画像処理方法に適用される第１の例においては、このことに基づいて、変換画像１０２ｘｙｚのうち、絵画変換処理の対象となる領域を、例えば図１５（ａ）に示すような適切な（ｕ、ｖ）曲線座標に沿って、楕円の中心を含む中央付近の領域（図中、ハッチングにて表記）ＡＴに限定して、絵画変換処理を実行する。すなわち、適切な（ｕ、ｖ）曲線座標において、図１５（ａ）に示すように、座標（ｕ０，ｖ０）を設定した場合、絵画変換処理により絵画調に変換される変換画像１０２ｘｙｚの領域ＡＴは、｜ｕ｜≦ｕ０、｜ｖ｜≦ｖ０に限定される。楕円形状の変換画像１０２ｘｙｚの中央付近の領域ＡＴのみが絵画変換された絵画調画像の画像データは、一旦メモリ２４の所定の領域に保存された後、楕円形状の表示領域１０１全域に当該絵画調画像が表示される。
【００８２】
これにより、異形表示パネルからなる表示部１２の楕円形状を有する表示領域１０１の中央付近の領域では絵画調に表現され、かつ、その周辺領域では、表示領域１０１の外形（楕円）に対応して、特定方向に直線的又は曲線的に顕著に拡大又は縮小変形された画像が表示される。
【００８３】
また、本実施形態に係る画像処理方法に適用される第２の例においては、上記変換画像１０２ｘｙｚに施す絵画変換処理のパラメータを、任意の領域ごとに異なるように設定して、絵画調変換による効果を強調あるいは緩和させる。すなわち、絵画変換処理の対象となる領域として、例えば図１５（ｂ）に示すような適切な（ｕ、ｖ）曲線座標に沿って、楕円の中心を含む中央付近の領域（図中、ハッチングにて表記）ＡＴ（Ｐ１）と、その周辺の領域ＡＴ（Ｐ２）を設定して、各領域に異なるパラメータ設定で絵画変換処理を実行する。具体的には、適切な（ｕ、ｖ）曲線座標において、図１５（ｂ）に示すように、座標（ｕ０，ｖ０）を設定した場合、｜ｕ｜≦ｕ０、｜ｖ｜≦ｖ０で規定される領域ＡＴ（Ｐ１）においては、絵画変換処理のパラメータをＰ１に設定し、｜ｕ｜＞ｕ０、｜ｖ｜＞ｖ０で規定される領域ＡＴ（Ｐ２）においては、上記パラメータをＰ２（≠Ｐ１）に設定して、絵画変換処理を実行する。領域ごとに異なるパラメータが設定された絵画変換処理により生成された絵画調画像の画像データは、一旦メモリ２４の所定の領域に保存された後、楕円形状の表示領域１０１全域に当該絵画調画像が表示される。
【００８４】
これにより、異形表示パネルからなる表示部１２の楕円形状を有する表示領域１０１の中央付近の領域ではパラメータＰ１に応じた絵画調に表現され、かつ、その周辺領域ではパラメータＰ１とは異なるパラメータＰ２に応じた絵画調に表現された画像が表示される。
【００８５】
このように、本実施形態に係る画像処理方法によれば、上述した第１の実施形態に示した各画像変換処理に加え、絵画変換処理を施すことにより、矩形画像１０２からなるデジタル画像が、異形表示パネルの表示領域１０１の形状に対応して、特定方向に直線的又は曲線的に変形されて、表示領域１０１全域に表示、再生されるるとともに、曲線座標に対応した特定の領域が任意の絵画調で表現される。したがって、本実施形態によれば、異形表示パネル特有の表示領域１０１の形状を利用しつつ、絵画の要素を組み込んだ画像を表示することができ、ユーザを楽しませることができる効果的で趣向を凝らした画像表示を実現することができる。
【００８６】
なお、本実施形態においては、矩形画像に上述した第１の実施形態に示した各画像変換処理を施して生成された楕円形状を有する変換画像に対して、絵画変換処理を施す手法について説明したが、本発明はこれに限定されるものではなく、例えば矩形画像の特定の領域に任意の絵画変換処理を施した後、上述した第１の実施形態に示した各画像変換処理を施して、楕円形状を有する変換画像を生成するものであってもよい。
【００８７】
＜第３の実施形態＞
次に、本発明に係る画像表示装置における画像処理方法の第３の実施形態について説明する。ここでは、上述した第１の実施形態に示した画像表示装置の構成及び第１、第２の実施形態に示した画像処理方法を適宜参照しながら第２の実施形態について説明する。
【００８８】
上述した第１、第２の実施形態においては、所定の画像変換処理により１つの矩形画像を異形表示パネルの表示領域の外形（例えば楕円形状）に対応する画像に一体的に変換して、当該変換画像を表示領域の全域に表示する手法について説明した。第３の実施形態においては、矩形画像から対象物画像（人物等の被写体画像）を切り出して、当該対象物画像と、矩形画像の背景画像（矩形背景画像）とを独立した画像データとして取り扱い、各々に個別の画像変換処理や絵画変換処理を施して、これらの合成画像を異形表示パネルの表示領域に表示することを特徴とする。
【００８９】
図１６は、本実施形態に係る画像処理方法に適用される対象物画像の抽出処理を説明するための概念図である。
本実施形態に係る画像表示装置においては、図２に示したデータ処理部２０において、上述した第１及び第２の実施形態に示した画像変換処理及び絵画変換処理に先立って、任意の矩形画像と当該矩形画像の背景画像（矩形背景画像）から、任意の対象物画像を抽出して切り出す画像抽出処理が実行される。また、上記の対象物画像及び背景画像に対する画像変換処理及び絵画変換処理の後に、当該対象物画像と背景画像を合成する画像合成処理が実行される。
【００９０】
具体的には、ＣＰＵ２１が例えばＲＯＭ２２に記憶されている画像抽出処理を実行するためのプログラムを読み出して実行することにより、図１６に示すように、画像処理部２６においてメモリ２４に保存されている任意の矩形画像１０２とその背景画像（矩形背景画像）１０３から、任意の対象物画像（例えば人物画像）１０４の輪郭Ｃｔを指定して抽出することにより、当該対象物画像１０４を切り出す画像抽出処理が実行される。この対象物画像の画像データは、矩形画像１０２中の対象物画像１０４の位置（例えば中心位置Ｐｃの座標）を示す位置データと関連付けて、メモリ２４の所定の領域に保存される。
【００９１】
また、ＣＰＵ２１が例えばＲＯＭ２２に記憶されている画像変換処理を実行するためのプログラムを読み出して実行することにより、画像処理部２６においてメモリ２４に保存されている矩形背景画像１０３に対して、上述した第１の実施形態と同様に、異形表示パネルの表示領域１０１の形状に対応させて変形する画像変換処理が実行される。画像変換された背景画像（変換背景画像）の画像データは、メモリ２４の所定の領域に保存される。
【００９２】
また、ＣＰＵ２１が例えばＲＯＭ２２に記憶されている絵画変換処理を実行するためのプログラムを読み出して実行することにより、画像処理部２６においてメモリ２４に保存されている対象物画像１０４及び上記画像変換処理された背景画像（変換背景画像）に対して、上述した第２の実施形態と同様に、所定の絵画変換処理が実行される。これらの絵画変換された対象物画像１０４と変換背景画像の画像データは、メモリ２４の所定の領域に個別に保存される。
【００９３】
さらに、ＣＰＵ２１が例えばＲＯＭ２２に記憶されている画像合成処理を実行するためのプログラムを読み出して実行することにより、画像処理部２６においてメモリ２４に保存されている絵画変換された対象物画像１０４と変換背景画像を合成する画像合成処理が実行される。画像合成された合成画像の画像データは、メモリ２４の所定の領域に保存される。
【００９４】
ここで、上述した画像抽出処理、絵画変換処理及び画像合成処理の各画像処理は、いずれも既存の画像処理関連のソフトウェア（例えば、Adobe Systems社のAdobe Photoshop（登録商標））等に用いられている手法と同等の処理を適用することによって実現される。
【００９５】
（画像処理方法）
次に、本実施形態に係る画像表示装置における画像処理方法について具体的に説明する。
（第１の画像処理方法）
図１７は、本実施形態に係る第１の画像処理方法を説明するための概念図である。
【００９６】
本実施形態に係る第１の画像処理方法においては、図１７に示すように、まず、データ処理部２０の画像処理部２６において、メモリ２４に保存されている任意の矩形画像１０２を読み出して、当該矩形画像１０２と当該矩形画像１０２の背景画像（矩形背景画像）１０３から、任意の対象物画像（例えば人物画像）１０４を輪郭抽出して切り出す画像抽出処理（Ｓ３１１）が実行される。このとき、切り出された対象物画像１０４の位置を検出して位置データを生成する。この切り出された対象物画像１０４の画像データ及びその位置データ、並びに、矩形背景画像１０３の画像データは、一旦メモリ２４の所定の領域に保存される。
【００９７】
次いで、画像処理部２６において、メモリ２４から読み出した矩形背景画像１０３に対して、上述した第１の実施形態に示した画像変換処理（Ｓ３１２）を実行することにより、異形表示パネルの表示領域１０１の形状（楕円形状）に対応した背景画像（変換背景画像）１０３ｐを生成する。ここで、本実施形態においては、画像変換処理として、矩形画像１０２の横方向の座標に依存した異なる縮小率で、縦方向に矩形画像１０２を直線的に縮小変換（ｙ方向縮小変換）する、上述した第１の画像変換処理を適用する。この変換背景画像１０３ｐの画像データは、一旦メモリ２４の所定の領域に保存される。
【００９８】
次いで、画像処理部２６において、メモリ２４から読み出した変換背景画像１０３ｐに対して、上述した第２の実施形態に示した絵画変換処理（Ｓ３１３）を実行することにより、絵画調に表現された変換背景画像（絵画調背景画像）１０３ｑを生成する。これにより、矩形背景画像１０３の全体を異形表示パネルの表示領域１０１の全域に表示することができる絵画調背景画像１０３ｑが生成される。この絵画調背景画像１０３ｑの画像データは、一旦メモリ２４の所定の領域に保存される。
【００９９】
次いで、画像処理部２６において、メモリ２４から読み出した対象物画像１０４及びその位置データに基づいて、当該対象物画像１０４が、異形表示パネルの表示領域１０１内に表示可能か否か（表示領域１０１内に収まるか否か）を判断する（Ｓ３１４）。表示可能な場合（図中、Ｂの位置に示した対象物画像１０４に相当する）には当該対象物画像１０４に対して、上述した第２の実施形態に示した絵画変換処理（Ｓ３１６）を実行することにより、任意の絵画調に表現された対象物画像（絵画調対象物画像）１０４ｑを生成する。
【０１００】
一方、異形表示パネルの表示領域１０１内に対象物画像１０４が表示不可能な場合（図中、Ａ、Ｃの位置に示した対象物画像１０４に相当する）には、当該対象物画像１０４の中心位置Ｐｃを基準にして、任意の縮小率で当該対象物画像１０４を相似縮小変換（Ｓ３１５）する。次いで、相似縮小変換された対象物画像（変換対象物画像）１０４ｐに対して、絵画変換処理（Ｓ３１６）を実行して絵画調対象物画像１０４ｑを生成する。これにより、対象物画像１０４を極力異方的に変形することなく、本来の対象物画像１０４に基づく絵画調対象物画像１０４ｑが生成される。この絵画調対象物画像１０４ｑの画像データは、一旦メモリ２４の所定の領域に保存される。
【０１０１】
次いで、画像処理部２６において、メモリ２４から読み出した絵画調対象物画像１０４ｑ及びその位置データ、絵画調背景画像１０３ｑに基づいて、画像合成処理（Ｓ３１７）を実行することにより、絵画調背景画像１０３ｑの所定の位置に絵画調対象物画像１０４ｑが合成された絵画調合成画像１０５が生成される。この絵画調合成画像１０５の画像データは、一旦メモリ２４の所定の領域に保存された後、楕円形状の表示領域１０１全域に当該絵画調合成画像１０５が表示される。
【０１０２】
これにより、異形表示パネルからなる表示部１２の楕円形状を有する表示領域１０１の全域に、当該表示領域１０１の形状に対応して変形されるとともに、絵画調に表現された背景画像（絵画調背景画像１０３ｑ）が表示され、さらに、当該背景画像中に、本来の形状を保持しつつ、絵画調に表現された任意の対象物画像（絵画調対象物画像１０４ｑ）が合成された画像（絵画調合成画像１０５）が表示される。すなわち、本実施形態に係る画像処理方法においては、矩形画像１０２の中心領域から外れた領域に位置する対象物（人物等）であっても、画像変換処理による規定の変形を回避して、本来の形状が保持された画像で表示される。
【０１０３】
（第２の画像処理方法）
図１８は、本実施形態に係る第２の画像処理方法を説明するための概念図である。ここで、上述した第１の画像処理方法と同等の処理手順については、その説明を簡略化する。
【０１０４】
本実施形態に係る第２の画像処理方法においては、図１８に示すように、まず、上述した第１の画像処理方法と同様に、データ処理部２０の画像処理部２６において、任意の矩形画像１０２とその矩形背景画像１０３から、任意の対象物画像１０４を輪郭抽出して切り出す画像抽出処理（Ｓ３２１）が実行される。
【０１０５】
次いで、矩形背景画像１０３に対して、上述した第１の実施形態に示した画像変換処理（Ｓ３２２）を実行することにより、異形表示パネルの表示領域１０１の形状（楕円形状）に対応した変換背景画像１０３ｐを生成する。ここで、本実施形態においては、画像変換処理として、矩形画像１０２の縦方向の座標に依存した異なる縮小率で、横方向に矩形画像１０２を直線的に縮小変換（ｘ方向縮小変換）する、上述した第２の画像変換処理を適用した例を示すが、本発明はこれに限定されるものではなく、縦方向の座標に依存した異なる縮小率で、表示領域１０１の外形に対応する楕円に沿って矩形画像１０２を異方的に縮小変換する、第４の画像変換処理を適用するものであってもよい。
【０１０６】
次いで、上述した第１の画像処理方法と同様に、変換背景画像１０３ｐに対して、所定の絵画変換処理（Ｓ３２３）を実行することにより、絵画調に表現された絵画調背景画像１０３ｑを生成する。これにより、矩形背景画像１０３の全体を異形表示パネルの表示領域１０１の全域に表示することができる絵画調背景画像１０３ｑが生成される。
【０１０７】
次いで、上述した対象物画像１０４及びその位置データに基づいて、当該対象物画像１０４が、異形表示パネルの表示領域１０１内に表示可能か否か（表示領域１０１内に収まるか否か）を判断する（Ｓ３２４）。表示可能な場合（図中、Ｂの位置に示した対象物画像１０４に相当する）には当該対象物画像１０４に対して、上述した第２の実施形態に示した絵画変換処理（Ｓ３２７）を実行することにより、任意の絵画調に表現された絵画調対象物画像１０４ｑを生成する。
【０１０８】
一方、異形表示パネルの表示領域１０１内に対象物画像１０４が表示不可能な場合（図中、Ａ、Ｃの位置に示した対象物画像１０４に相当する）には、当該対象物画像１０４に対して、上述した変換背景画像を生成した際の画像変換処理において設定された曲線座標に基づいて画像変換（Ｓ３２５）を実行することにより、対象物画像１０４を異形表示パネルの表示領域１０１の形状（楕円形状）に対応するように変形させ、さらに、画像変換された当該対象物画像１０４の中心位置Ｐｃを基準にして、任意の縮小率で相似縮小変換（Ｓ３２６）する。次いで、相似縮小変換された対象物画像（変換対象物画像）１０４ｐに対して、所定の絵画変換処理（Ｓ３２７）を実行して絵画調対象物画像１０４ｑを生成する。
【０１０９】
次いで、絵画調対象物画像１０４ｑ及びその位置データ、絵画調背景画像１０３ｑに基づいて、画像合成処理（Ｓ３２８）を実行することにより、絵画調背景画像１０３ｑの所定の位置に絵画調対象物画像１０４ｑが合成された絵画調合成画像１０５が生成される。この絵画調合成画像１０５の画像データは、一旦メモリ２４の所定の領域に保存された後、楕円形状の表示領域１０１全域に当該絵画調合成画像１０５が表示される。
【０１１０】
これにより、異形表示パネルからなる表示部１２の楕円形状を有する表示領域１０１の全域に、当該表示領域１０１の形状に対応して変形されるとともに、絵画調に表現された背景画像（絵画調背景画像１０３ｑ）が表示され、さらに、当該背景画像中に、表示領域１０１の形状に対応しつつ、極端な変形が回避されるとともに、絵画調に表現された任意の対象物画像（絵画調対象物画像１０４ｑ）が合成された画像（絵画調合成画像１０５）が表示される。すなわち、本実施形態に係る画像処理方法においては、矩形画像１０２の中心領域から外れた領域に位置する対象物（人物等）であっても、画像変換処理による規定の、表示領域の形状に対応した極端な変形が回避されて、任意の大きさの画像で表示される。
【０１１１】
（第３の画像処理方法）
図１９は、本実施形態に係る第３の画像処理方法を説明するための概念図である。ここで、上述した第１又は第２の画像処理方法と同等の処理手順については、その説明を簡略化する。
【０１１２】
本実施形態に係る第３の画像処理方法においては、図１９に示すように、まず、上述した第１の画像処理方法と同様に、データ処理部２０の画像処理部２６において、任意の矩形画像１０２とその矩形背景画像１０３から、任意の対象物画像１０４を輪郭抽出して切り出す画像抽出処理（Ｓ３３１）が実行される。
【０１１３】
次いで、矩形背景画像１０３に対して、上述した第１の実施形態に示した画像変換処理（Ｓ３３２）を実行することにより、異形表示パネルの表示領域１０１の形状（楕円形状）に対応した変換背景画像１０３ｐを生成する。ここで、本実施形態においては、画像変換処理として、矩形画像１０２の横方向の座標に依存した異なる拡大率で、表示領域１０１の外形に対応する楕円に沿って矩形画像１０２を異方的に拡大変換する、上述した第３の画像変換処理を適用する。
【０１１４】
次いで、上述した第１の画像処理方法と同様に、変換背景画像１０３ｐに対して、所定の絵画変換処理（Ｓ３３３）を実行することにより、絵画調に表現された絵画調背景画像１０３ｑを生成する。これにより、矩形背景画像１０３の全体を異形表示パネルの表示領域１０１の全域に表示することができる絵画調背景画像１０３ｑが生成される。
【０１１５】
次いで、上述した対象物画像１０４及びその位置データに基づいて、当該対象物画像１０４が、異形表示パネルの表示領域１０１内に表示可能か否か（表示領域１０１内に収まるか否か）を判断する（Ｓ３３４）。表示可能な場合（図中、Ｂの位置に示した対象物画像１０４に相当する）には当該対象物画像１０４に対して、上述した第２の実施形態に示した絵画変換処理（Ｓ３３７）を実行することにより、任意の絵画調に表現された絵画調対象物画像１０４ｑを生成する。
【０１１６】
一方、異形表示パネルの表示領域１０１内に対象物画像１０４が表示不可能な場合（図中、Ａ、Ｃの位置に示した対象物画像１０４に相当する）には、当該対象物画像１０４に対して、上述した変換背景画像を生成した際の画像変換処理において設定された曲線座標に基づいて画像変換（Ｓ３３５）を実行することにより、対象物画像１０４を異形表示パネルの表示領域１０１の形状（楕円形状）に対応するように変形させ、さらに、画像変換された当該対象物画像１０４の中心位置Ｐｃを通る縦方向の中心軸Ｌｃを基準にして、鏡映変換（Ｓ３３６）する。次いで、鏡映変換された対象物画像（変換対象物画像）１０４ｐに対して、所定の絵画変換処理（Ｓ３３７）を実行して絵画調対象物画像１０４ｑを生成する。
【０１１７】
次いで、絵画調対象物画像１０４ｑ及びその位置データ、絵画調背景画像１０３ｑに基づいて、画像合成処理（Ｓ３３８）を実行することにより、絵画調背景画像１０３ｑの所定の位置に絵画調対象物画像１０４ｑが合成された絵画調合成画像１０５が生成される。この絵画調合成画像１０５の画像データは、一旦メモリ２４の所定の領域に保存された後、楕円形状の表示領域１０１全域に当該絵画調合成画像１０５が表示される。
【０１１８】
これにより、異形表示パネルからなる表示部１２の楕円形状を有する表示領域１０１の全域に、当該表示領域１０１の形状に対応して変形されるとともに、絵画調に表現された背景画像（絵画調背景画像１０３ｑ）が表示され、さらに、当該背景画像中に、表示領域１０１の形状に対応しつつ、絵画調に表現された任意の対象物画像（絵画調対象物画像１０４ｑ）が合成された画像（絵画調合成画像１０５）が表示される。すなわち、本実施形態に係る画像処理方法においては、矩形画像１０２の中心領域から外れた領域に位置する対象物（人物等）が、画像変換処理による規定の変形とは異なり、表示領域１０１の形状に沿うように変形された画像で表示される。
【０１１９】
（第４の画像処理方法）
図２０は、本実施形態に係る第４の画像処理方法に適用される対象物の特徴部分の抽出処理を説明するための概念図であり、図２１は、本実施形態に係る第４の画像処理方法を説明するための概念図である。ここで、上述した第１〜第３の画像処理方法と同等の処理手順については、その説明を簡略化する。
【０１２０】
本実施形態においては、上述した第１の画像処理方法において、既存の画像認識処理（例えば顔認識処理）の手法を適用して、対象物の特徴部分を抽出して表示することを特徴とする。ここで、画像認識処理は、デジタルカメラ等の既存の撮像機器に適用される顔認識処理のソフトウェア等に用いられている手法と同等の処理を適用することによって実現される。
【０１２１】
具体的には、本実施形態に係る第４の画像処理方法に適用される対象物の特徴部分の抽出処理は、図２０に示すように、まず、上述した画像抽出処理により任意の対象物の画像（例えば人物画像）の輪郭Ｃｔを指定して抽出することにより、当該対象物画像１０４が切り出される。次いで、当該対象物画像１０４の任意の特徴部分の画像（例えば顔画像）の輪郭Ｃｓを指定して抽出することにより、当該特徴部分画像１０６が切り出される。
【０１２２】
特徴部分抽出処理は、ＣＰＵ２１が例えばＲＯＭ２２に記憶されている画像認識処理（顔認識）を実行するためのプログラムを読み出して実行することにより、画像処理部２６においてメモリ２４に保存されている任意の対象物画像１０４から、対象物画像の特徴部分画像１０６を輪郭抽出して切り出す特徴部分抽出処理が実行される。
【０１２３】
このような特徴部分抽出処理を適用した、本実施形態に係る第４の画像処理方法においては、図２１に示すように、まず、上述した第１の画像処理方法と同様に、データ処理部２０の画像処理部２６において、任意の矩形画像１０２とその矩形背景画像１０３から、任意の対象物画像１０４を輪郭抽出して切り出す画像抽出処理（Ｓ３４１）が実行される。次いで、当該対象物画像１０４に対して、上述した特徴部分抽出処理（Ｓ３４２）を実行することにより、対象物画像１０４中の特徴部分の画像（特徴部分画像）１０６が輪郭抽出されて切り出される。この画像抽出処理により切り出された対象物画像１０４及び特徴部分抽出処理により切り出された特徴部分画像１０６の画像データは、その位置データとともに、一旦メモリ２４の所定の領域に保存される。
【０１２４】
次いで、矩形背景画像１０３に対して、上述した第１の実施形態に示した画像変換処理（Ｓ３４３）を実行することにより、異形表示パネルの表示領域１０１の形状（楕円形状）に対応した変換背景画像１０３ｐを生成する。ここで、本実施形態においては、画像変換処理として、上述した第１の画像変換処理を適用した例を示すが、本発明はこれに限定されるものではなく、例えば第４の画像変換処理を適用するものであってもよい。
【０１２５】
次いで、上述した第１の画像処理方法と同様に、変換背景画像１０３ｐに対して、所定の絵画変換処理（Ｓ３４４）を実行することにより、絵画調に表現された絵画調背景画像１０３ｑを生成する。これにより、矩形背景画像１０３の全体を異形表示パネルの表示領域１０１の全域に表示することができる絵画調背景画像１０３ｑが生成される。
【０１２６】
次いで、上述した対象物画像１０４及びその位置データに基づいて、当該対象物画像１０４が、異形表示パネルの表示領域１０１内に表示可能か否か（表示領域１０１内に収まるか否か）を判断する（Ｓ３４５）。表示可能な場合（図中、Ｂの位置に示した対象物画像１０４に相当する）には対象物の全体が含まれる当該対象物画像１０４に対して、上述した第２の実施形態に示した絵画変換処理（Ｓ３４９）を実行することにより、任意の絵画調に表現された絵画調対象物画像１０４ｑを生成する。
【０１２７】
一方、異形表示パネルの表示領域１０１内に対象物画像１０４が表示不可能な場合（図中、Ａ、Ｃの位置に示した対象物画像１０４に相当する）には、当該対象物画像１０４の中心位置Ｐｃを基準にして、任意の縮小率で当該対象物画像１０４を相似縮小変換（Ｓ３４６）する。ここで、縮小変換された対象物画像（変換対象物画像）１０４ｐの縦方向の大きさが、予め設定した基準値以下か否かを判断（Ｓ３４７）し、変換対象物画像１０４ｐの縦方向の大きさが上記基準値よりも大きい場合には、当該変換対象物画像１０４ｐに対して、上述した第２の実施形態に示した絵画変換処理（Ｓ３４９）を実行して、任意の絵画調に表現された絵画調対象物画像１０４ｑを生成する。
【０１２８】
一方、変換対象物画像１０４ｐの縦方向の大きさが上記基準値以下の場合には、当該変換対象物画像１０４ｐを、上述した特徴部分抽出処理により対象物画像１０４から切り出された特徴部分画像１０６に置換し、さらに、当該特徴部分画像１０６の中心位置Ｐｄを基準にして、任意の拡大率で当該特徴部分画像１０６を相似拡大変換（Ｓ３４８）する。ここで、拡大変換された特徴部分画像（変換特徴部分画像）１０６ｐは、例えば、表示領域１０１の上下方向の中心位置Ｐｅや、置換された対象物画像１０４の中心位置Ｐｃ等の任意の位置に配置されるように、当該位置データが書き換え設定される。その後、当該変換特徴部分画像１０６ｐに対して、所定の絵画変換処理（Ｓ３４９）を実行して絵画調特徴部分画像１０６ｑを生成する。
【０１２９】
次いで、絵画調対象物画像１０４ｑ、絵画調特徴部分画像１０６ｑ及びその位置データ、絵画調背景画像１０３ｑに基づいて、画像合成処理（Ｓ３５０）を実行することにより、絵画調背景画像１０３ｑの所定の位置に絵画調対象物画像１０４ｑ及び絵画調特徴部分画像１０６ｑが合成された絵画調合成画像１０５が生成される。この絵画調合成画像１０５の画像データは、一旦メモリ２４の所定の領域に保存された後、楕円形状の表示領域１０１全域に当該絵画調合成画像１０５が表示される。
【０１３０】
これにより、異形表示パネルからなる表示部１２の楕円形状を有する表示領域１０１の全域に、当該表示領域１０１の形状に対応して変形されるとともに、絵画調に表現された背景画像（絵画調背景画像１０３ｑ）が表示され、さらに、当該背景画像の中央付近の領域では、本来の形状を保持しつつ、絵画調に表現された任意の対象物画像（絵画調対象物画像１０４ｑ）が合成され、また、当該背景画像の周縁部近傍の領域では、絵画調に表現された対象物の特徴部分画像（絵画調特徴部分画像１０６ｑ）が合成された画像（絵画調合成画像１０５）が表示される。すなわち、本実施形態に係る画像処理方法においては、矩形画像１０２の中心領域から外れて、表示領域１０１の左右端や上下端近傍の領域に位置する対象物が特徴部分画像に置換されて表示されることにより、画像変換処理による対象物画像の極端な変形（すなわち、１点に収縮されるような変形）が回避され、当該対象物が判別できる画像で表示される。
【０１３１】
このように、本実施形態に係る各画像処理方法によれば、矩形画像中の任意の対象物画像と背景画像を独立した個別の画像データとして取り扱い、各々に個別の画像変換処理や絵画変換処理等を施すことにより、異形表示パネルの表示領域１０１の形状に対応して、特定方向に直線的又は曲線的に変形された背景画像中に、任意の表示形式に設定された対象物画像又はその特徴部分画像が合成された合成画像が、表示領域１０１全域に表示、再生される。したがって、本実施形態によれば、異形表示パネル特有の表示領域１０１の形状を利用しつつ、対象物の印象を強調又は緩和した表現の画像を表示することができ、ユーザをより一層楽しませることができる効果的で趣向を凝らした画像表示を実現することができる。
【０１３２】
なお、上述した本実施形態に係る各画像処理方法においては、矩形画像から抽出される対象物画像が静止画像である場合について説明したが、対象物画像が動画像であっても、本実施形態と同等の技術思想を適用することができる。また、上述した本実施形態に係る第２の及び第３の画像処理方法においては、矩形背景画像の画像変換処理において設定された曲線座標に基づいて、画像抽出処理により切り出された対象物画像１０２ｔを画像変換処理する場合について説明したが、他の曲線座標に基づいて画像変換処理を実行するものであってもよい。
【０１３３】
また、上述した各実施形態においては、表示領域が楕円形状を有する異形表示パネルを備えた画像表示装置を例に具体的に説明したが、本発明は、これに限定されるものではない。本発明は、異形表示パネルの形状が楕円形状以外の、他の異形状を有する場合であっても、上述した各実施形態と同様の技術思想を適用して、同等の作用効果を得ることができる。すなわち、任意の異形状の表示領域に対して、適切な（ｕ、ｖ）曲線座標を導入することができるものであれば、矩形画像を変形して異形状の表示領域の全域に表示することができる。さらに、当該適切な（ｕ、ｖ）曲線座標に基づいて、第２の実施形態に示したように、特定の領域が任意の絵画調で表現された画像を生成して表示、再生することもできる。
【０１３４】
加えて、本発明は、画像表示装置の表示部が楕円形状の表示領域を有する異形表示パネルからなる場合に限定されるものではなく、通常の矩形形状の表示領域を有する表示パネルからなる場合であって、当該表示領域の周辺部分が遮蔽部材により遮蔽されて、実質的な表示領域が異形状に制限された構造を有する場合であっても、上述した各実施形態と同様の技術思想を適用して、同等の作用効果を得ることができる。
【０１３５】
以上、本発明のいくつかの実施形態について説明したが、本発明は、上述した実施形態に限定されるものではなく、特許請求の範囲に記載された発明とその均等の範囲を含むものである。
以下に、本願出願の当初の特許請求の範囲に記載された発明を付記する。
【０１３６】
（付記）
請求項１に記載の発明は、
矩形以外の任意の形状の表示領域を有する表示部と、
前記表示領域の形状に対応する任意の曲線座標に基づいて、矩形画像の全体を前記表示領域の全域に対応させて変形させる画像処理部と、
前記表示領域の全域に対応させて変形された前記矩形画像を、前記表示領域の全域に表示する表示制御部と、
を備えることを特徴とする画像表示装置である。
【０１３７】
請求項２に記載の発明は、
前記画像処理部は、前記表示領域の中央付近の領域に対して、前記表示領域の周縁部近傍の領域で、前記矩形画像の変形が大きくなるように、前記矩形画像を変形することを特徴とする請求項１記載の画像表示装置である。
【０１３８】
請求項３に記載の発明は、
前記画像処理部は、前記表示領域の全域に対応させて変形された前記矩形画像の、少なくとも特定の領域を、任意の絵画調パターンに基づいて絵画変換することを特徴とする請求項１又は２に記載の画像表示装置である。
【０１３９】
請求項４に記載の発明は、
矩形以外の任意の形状の表示領域を有する表示部と、
矩形画像と当該矩形画像の背景画像から任意の対象物画像を抽出し、前記背景画像と前記対象物画像に対して、異なる変形処理を実行し、当該変形処理された前記背景画像と前記対象物画像とを合成する画像処理部と、
前記合成された前記背景画像と前記対象物画像を、前記表示領域の全域に表示する表示制御部と、
を備えることを特徴とする画像表示装置である。
【０１４０】
請求項５に記載の発明は、
前記表示領域の形状に対応する任意の曲線座標に基づいて、少なくとも前記背景画像の全体を前記表示領域の全域に対応させて変形させることを特徴とする請求項４記載の画像表示装置である。
【０１４１】
請求項６に記載の発明は、
前記画像処理部は、前記対象物画像が前記表示領域内に表示不可能な場合には、当該表示領域内に表示可能となるように、前記対象物画像を変形させ、当該変形された前記対象物画像の大きさが所定の基準値以下の場合には、前記対象物画像から抽出された特徴部分画像と、前記対象物画像とを置換して、前記変形処理された前記背景画像と前記特徴部分画像とを合成することを特徴とする請求項４又は５に記載の画像表示装置である。
【０１４２】
請求項７に記載の発明は、
矩形以外の任意の形状の表示領域に対応する任意の曲線座標に基づいて、矩形画像の全体を前記表示領域の全域に対応させて変形させる画像変換処理と、
前記表示領域の全域に対応させて変形された前記矩形画像を、前記表示領域の全域に表示する画像表示処理と、
を含むことを特徴とする画像処理方法。
【０１４３】
請求項８に記載の発明は、
前記画像変換処理は、前記表示領域の中央付近の領域に対して、前記表示領域の周縁部近傍の領域で、前記矩形画像の変形が大きくなるように、前記矩形画像を変形することを特徴とする請求項７記載の画像処理方法である。
【０１４４】
請求項９に記載の発明は、
前記画像変換処理により、前記表示領域の全域に対応させて変形された前記矩形画像の、少なくとも特定の領域を、任意の絵画調パターンに基づいて絵画変換する絵画変換処理を、さらに含むことを特徴とする請求項７又は８に記載の画像処理方法である。
【０１４５】
請求項１０に記載の発明は、
矩形画像と当該矩形画像の背景画像から任意の対象物画像を抽出する画像抽出処理と、
前記背景画像に対して、前記表示領域の形状に対応する任意の曲線座標に基づいて、前記表示領域の全域に対応させて変形させる第１の画像変換処理と、
前記対象物画像が前記表示領域内に表示不可能な場合に、当該表示領域内に表示可能となるように、前記対象物画像を変形させる第２の画像変換処理と、
個別に変形された前記背景画像と前記対象物画像とを合成する第１の画像合成処理と、
前記合成された前記背景画像と前記対象物画像を、前記表示領域の全域に表示する画像表示処理と、
を含むことを特徴とする画像処理方法である。
【０１４６】
請求項１１に記載の発明は、
前記変形された前記対象物画像の大きさが所定の基準値以下の場合に、前記対象物画像から抽出された特徴部分画像と、前記対象物画像とを置換する画像置換処理と、
前記変形された前記背景画像と前記特徴部分画像とを合成する第２の画像合成処理と、
をさらに含むことを特徴とする請求項１０記載の画像処理方法である。
【０１４７】
請求項１２に記載の発明は、
コンピュータに画像表示装置を制御させて、所望の画像を表示させる画像処理プログラムであって、
矩形以外の任意の形状の表示領域に対応する任意の曲線座標に基づいて、矩形画像の全体を前記表示領域の全域に対応させて変形させる画像変換手段と、
前記表示領域の全域に対応させて変形された前記矩形画像を、前記表示領域の全域に表示する画像表示手段と、
して機能させるための画像処理プログラムである。
【０１４８】
請求項１３に記載の発明は、
コンピュータに画像表示装置を制御させて、所望の画像を表示させる画像処理プログラムであって、
矩形画像と当該矩形画像の背景画像から任意の対象物画像を抽出する画像抽出手段と、
前記背景画像に対して、前記表示領域の形状に対応する任意の曲線座標に基づいて、前記表示領域の全域に対応させて変形させる第１の画像変換手段と、
前記対象物画像が前記表示領域内に表示不可能な場合に、当該表示領域内に表示可能となるように、前記対象物画像を変形させる第２の画像変換手段と、
個別に変形された前記背景画像と前記対象物画像とを合成する画像合成手段と、
前記合成された前記背景画像と前記対象物画像を、前記表示領域の全域に表示する画像表示手段と、
して機能させるための画像処理プログラムである。
【符号の説明】
【０１４９】
１０      画像表示装置
１２      表示部
２０      データ処理部
２１      ＣＰＵ
２４      メモリ
２５      表示制御部
２６      画像処理部
３０      ユーザＩ／Ｆ部
３１      表示部
１０１    表示領域
１０２    矩形画像
１０３    矩形背景画像
１０４    対象物画像
１０５    絵画調合成画像
【図１】
0005741917.tif 000002
【図２】
0005741917.tif 000003
【図３】
0005741917.tif 000004
【図４】
0005741917.tif 000005
【図５】
0005741917.tif 000006
【図６】
0005741917.tif 000007
【図７】
0005741917.tif 000008
【図８】
0005741917.tif 000009
【図９】
0005741917.tif 000010
【図１０】
0005741917.tif 000011
【図１１】
0005741917.tif 000012
【図１２】
0005741917.tif 000013
【図１３】
0005741917.tif 000014
【図１４】
0005741917.tif 000015
【図１５】
0005741917.tif 000016
【図１６】
0005741917.tif 000017
【図１７】
0005741917.tif 000018
【図１８】
0005741917.tif 000019
【図１９】
0005741917.tif 000020
【図２０】
0005741917.tif 000021
【図２１】
0005741917.tif 000022